【手続補正書】
【提出日】平成16年6月23日(2004.6.23)
【手続補正１】
【補正対象書類名】明細書
【補正対象項目名】特許請求の範囲
【補正方法】変更
【補正の内容】
【特許請求の範囲】
【請求項１】
有限要素分割モデルに検索点が与えられたとき、特定の要素を最初の検索対象要素としてスタートし、現在の検索対象要素が前記検索点を内含するかを判定し、内含しない場合に現在の検索対象要素の境界に関して、その要素の重心と前記検索点とが反対側となる境界で隣接する要素を探索し、その隣接する要素を次の検索対象要素として順次設定していくことにより、前記検索点を内含する要素を検索する有限要素モデル処理方法において、現在の検索対象要素に対して、その要素の重心と前記検索点とが反対側となる境界で隣接する要素が無い場合、前記要素の重心と前記検索点との位置に関係なく現在の検索対象要素に隣接する要素を次の検索対象要素として設定することを特徴とする有限要素モデル処理方法。
【請求項２】
前記隣接する要素の探索では、現在の検索対象要素の各境界に対して、その要素の重心と前記検索点とが反対側となるかを判定し、反対側となると判定された場合に、その境界で隣接する要素が存在するかを判定することを特徴とする請求項１記載の有限要素モデル処理方法。
【請求項３】
次の検索対象要素を、検索対象要素として未設定の要素の中から設定することを特徴とする請求項１または２記載の有限要素モデル処理方法。
【請求項４】
現在の検索対象要素に隣接する要素の全てが既設定であった場合、現在の検索対象要素に隣接する要素以外で未設定の要素を次の検索対象要素として設定することを特徴とする請求項３記載の有限要素モデル処理方法。
【請求項５】
現在の検索対象要素が前記検索点を内含するかを判定する際に、要素の形状関数を用いた写像を使用することを特徴とする請求項１〜３または４記載の有限要素モデル処理方法。
【請求項６】
前記要素の重心と前記検索点とが反対側となる境界で隣接する要素が無いことの発生回数をカウントし、そのカウント値が解析者の指定した値を超える場合、前記検索点は有限要素分割モデルの外の点であると判定することを特徴とする請求項１〜４または５記載の有限要素モデル処理方法。
【請求項７】
有限要素分割モデルに検索点が与えられたとき、特定の要素を最初の検索対象要素としてスタートし、現在の検索対象要素が前記検索点を内含するかを判定し、内含しない場合に現在の検索対象要素の境界に関して、その要素の重心と前記検索点とが反対側となる境界で隣接する要素を探索する探索手段と、その隣接する要素を次の検索対象要素として順次設定していくことにより、前記検索点を内含する要素を検索する検索手段とを備えた有限要素モデル処理装置において、現在の検索対象要素に対して、その要素の重心と前記検索点とが反対側となる境界で隣接する要素が無い場合、前記要素の重心と前記検索点との位置に関係なく現在の検索対象要素に隣接する要素を次の検索対象要素として設定する設定手段を設けたことを特徴とする有限要素モデル処理装置。
【手続補正２】
【補正対象書類名】明細書
【補正対象項目名】００２７
【補正方法】変更
【補正の内容】
【００２７】
本発明は上述した従来の技術の有するこのような問題点に鑑みてなされたものであり、その目的とするところは、どのような分割モデルに対しても、高速且つ正確に任意の点を内含する要素を検索可能な有限要素モデル処理方法及び装置を提供しようとするものである。
【手続補正３】
【補正対象書類名】明細書
【補正対象項目名】００２８
【補正方法】変更
【補正の内容】
【００２８】
【課題を解決するための手段】
上記目的を達成するために請求項１記載の有限要素モデル処理方法は、有限要素分割モデルに検索点が与えられたとき、特定の要素を最初の検索対象要素としてスタートし、現在の検索対象要素が前記検索点を内含するかを判定し、内含しない場合に現在の検索対象要素の境界に関して、その要素の重心と前記検索点とが反対側となる境界で隣接する要素を探索し、その隣接する要素を次の検索対象要素として順次設定していくことにより、前記検索点を内含する要素を検索する有限要素モデル処理方法において、現在の検索対象要素に対して、その要素の重心と前記検索点とが反対側となる境界で隣接する要素が無い場合、前記要素の重心と前記検索点との位置に関係なく現在の検索対象要素に隣接する要素を次の検索対象要素として設定することを特徴とする。
【手続補正４】
【補正対象書類名】明細書
【補正対象項目名】００２９
【補正方法】変更
【補正の内容】
【００２９】
また、上記目的を達成するために請求項２記載の有限要素モデル処理方法は、請求項１記載の有限要素モデル処理方法において、前記隣接する要素の探索では、現在の検索対象要素の各境界に対して、その要素の重心と前記検索点とが反対側となるかを判定し、反対側となると判定された場合に、その境界で隣接する要素が存在するかを判定することを特徴とする。
【手続補正５】
【補正対象書類名】明細書
【補正対象項目名】００３０
【補正方法】変更
【補正の内容】
【００３０】
また、上記目的を達成するために請求項３載の有限要素モデル処理方法は、請求項１または２記載の有限要素モデル処理方法において、次の検索対象要素を、検索対象要素として未設定の要素の中から設定することを特徴とする。
【手続補正６】
【補正対象書類名】明細書
【補正対象項目名】００３１
【補正方法】変更
【補正の内容】
【００３１】
また、上記目的を達成するために請求項４載の有限要素モデル処理方法は、請求項３記載の有限要素モデル処理方法において、現在の検索対象要素に隣接する要素の全てが既設定であった場合、現在の検索対象要素に隣接する要素以外で未設定の要素を次の検索対象要素として設定することを特徴とする。
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】変更
【補正の内容】
【００３３】
また、上記目的を達成するために請求項５載の有限要素モデル処理方法は、請求項１〜３または４記載の有限要素モデル処理方法において、現在の検索対象要素が前記検索点を内含するかを判定する際に、要素の形状関数を用いた写像を使用することを特徴とする。
【手続補正９】
【補正対象書類名】明細書
【補正対象項目名】００３４
【補正方法】変更
【補正の内容】
【００３４】
また、上記目的を達成するために請求項６載の有限要素モデル処理方法は、請求項１〜４または５記載の有限要素モデル処理方法において、前記要素の重心と前記検索点とが反対側となる境界で隣接する要素が無いことの発生回数をカウントし、そのカウント値が解析者の指定した値を超える場合、前記検索点は有限要素分割モデルの外の点であると判定することを特徴とする。
【手続補正１０】
【補正対象書類名】明細書
【補正対象項目名】００３５
【補正方法】変更
【補正の内容】
【００３５】
また、上記目的を達成するために請求項７載の有限要素モデル処理方法は、有限要素分割モデルに検索点が与えられたとき、特定の要素を最初の検索対象要素としてスタートし、現在の検索対象要素が前記検索点を内含するかを判定し、内含しない場合に現在の検索対象要素の境界に関して、その要素の重心と前記検索点とが反対側となる境界で隣接する要素を探索する探索手段と、その隣接する要素を次の検索対象要素として順次設定していくことにより、前記検索点を内含する要素を検索する検索手段とを備えた有限要素モデル処理装置において、現在の検索対象要素に対して、その要素の重心と前記検索点とが反対側となる境界で隣接する要素が無い場合、前記要素の重心と前記検索点との位置に関係なく現在の検索対象要素に隣接する要素を次の検索対象要素として設定する設定手段を設けたことを特徴とする。
【手続補正１１】
【補正対象書類名】明細書
【補正対象項目名】００３６
【補正方法】削除
【補正の内容】
【手続補正１２】
【補正対象書類名】明細書
【補正対象項目名】００３７
【補正方法】削除
【補正の内容】
【手続補正１３】
【補正対象書類名】明細書
【補正対象項目名】００３８
【補正方法】削除
【補正の内容】
【手続補正１４】
【補正対象書類名】明細書
【補正対象項目名】００３９
【補正方法】削除
【補正の内容】
【手続補正１５】
【補正対象書類名】明細書
【補正対象項目名】００４０
【補正方法】削除
【補正の内容】
【手続補正１６】
【補正対象書類名】明細書
【補正対象項目名】００４１
【補正方法】削除
【補正の内容】
【手続補正１７】
【補正対象書類名】明細書
【補正対象項目名】００８３
【補正方法】変更
【補正の内容】
【００８３】
【発明の効果】
以上詳述したように、本発明の有限要素モデル処理方法及び装置によれば、従来問題となっていた凹形状の分割モデル、穴がある分割モデル、要素の辺が曲線からなる高次の要素を使用した分割モデル等に対しても、最初の検索対象要素の設定に拘らず検索点を内含する要素を安定して検索することができるという効果を奏する。
【手続補正１８】
【補正対象書類名】明細書
【補正対象項目名】００８４
【補正方法】変更
【補正の内容】
【００８４】
また、内含判定を要素の形状関数を使用して行う態様によれば、極めて正確な判定が可能となり、更に、解析者がモデル形状に応じてパラメータ（図４の２を通過する上限）を設定する態様によれば、検索点が分割モデルの領域外にある場合の判定も迅速に行えるという効果を奏する。